(57)【要約】【課題】バイトの刃部の位置を回転盤の厚み方向に調整することが容易なバイトホルダーを提供すること。【解決手段】回転軸に連結するための軸穴を回転盤の中心部に有し、回転盤の外周部には、その円周方向沿って間隔をあけて複数のバイトを固定するための固定部を設け、各バイトの刃部の位置を回転盤の厚み方向に調整可能とするバイトホルダーにおいて、回転盤は、重なり合う第１回転盤と第２回転盤を備え、第１回転盤は、固定部を中心にして円周方向の両側に離れた位置に、外周から中央部に向かうスリットを備え、固定部に対して両側に設けられ一対のスリットによって円周方向に隔絶された調整片を形成し、調整片を第２回転盤から離隔する方向に変形可能に設ける離隔ネジ止め部を第１回転盤と第２回転盤の少なくとも一方に有することを特徴とする。【選択図】      図１
2013123768.tif 000002
【特許請求の範囲】
【請求項１】
回転軸に連結するための軸穴を回転盤の中心部に有し、回転盤の外周部には、その円周方向沿って間隔をあけて複数のバイトを固定するための固定部を設け、各バイトの刃部の位置を回転盤の厚み方向に調整可能とするバイトホルダーにおいて、
回転盤は、重なり合う第１回転盤と第２回転盤を備え、
第１回転盤は、固定部を中心にして円周方向の両側に離れた位置に、外周から中央部に向かうスリットを備え、固定部に対して両側に設けられ一対のスリットによって円周方向に隔絶された調整片を形成し、
調整片を第２回転盤から離隔する方向に変形可能に設ける離隔ネジ止め部を第１回転盤と第２回転盤の少なくとも一方に有することを特徴とするバイトホルダー。
【請求項２】
回転軸に連結するための軸穴を回転盤の中心部に有し、回転盤の外周部には、その円周方向沿って間隔をあけて複数のバイトを固定するための固定部を設け、各バイトの刃部の位置を回転盤の厚み方向に調整可能とするバイトホルダーにおいて、
回転盤は、重なり合う第１回転盤と第２回転盤を備え、
第１回転盤は、固定部を中心にして円周方向の両側に離れた位置に、外周から中央部に向かうスリットを備え、固定部に対して両側に設けられ一対のスリットによって円周方向に隔絶された調整片を形成し、
第１回転盤と第２回転盤の重ね合わせ面の少なくとも一方に、調整片を第２回転盤に接近する方向に変形可能とする凹部を備え、
調整片を第２回転盤に接近する方向に変形可能に設ける接近ネジ止め部を第１回転盤と第２回転盤の少なくとも一方に有することを特徴とするバイトホルダー。
【請求項３】
第１回転盤と第２回転盤の重ね合わせ面の少なくとも一方に、調整片を第２回転盤に接近する方向に変形可能とする凹部を備え、
調整片を第２回転盤に接近する方向に変形可能に設ける接近ネジ止め部を第１回転盤と第２回転盤の少なくとも一方に有することを特徴とする請求項１記載のバイトホルダー。
【請求項４】
第１回転盤は、調整片の両側の一対のスリットを連通する変形促進溝部が調整片の内周部に形成されていることを特徴とする請求項１、２又は３記載のバイトホルダー。
【請求項５】
第１回転盤と第２回転盤は、各調整片よりも半径方向内周側においてネジ止めされていることを特徴とする請求項１、２、３又は４記載のバイトホルダー。
【請求項６】
各調整片には固定部として設置溝部が形成されており、各調整片の設置溝部の溝深さが異なることを特徴とする請求項１、２、３、４又は５記載のバイトホルダー。
【請求項７】
接近ネジ止め部と離隔ネジ止め部とは互いの軸線が一致する位置に設けられ、
離隔ネジ止め部は、離隔雄ネジ部材と離隔雌ネジ穴とから構成され、
離隔雄ネジ部材は、円筒状であって、その外周面には雄ネジが形成され、その内周面の頭部側には工具用の嵌合穴が形成されると共に、内周面の先部側には接近雌ネジ穴が形成されており、
離隔雌ネジ穴は、第２回転盤に形成されており、
接近ネジ止め部は、接近雄ネジ部材と、接近雌ネジ穴と、接近雄ネジ部材の軸部を通す接近貫通穴とから構成され、
接近雄ネジ部材は、離隔雄ネジ部材の内周面の接近雌ネジ穴に捩じ込むものであって、
接近貫通穴は、第１回転盤に形成されていることを特徴とする請求項１、２、３、４、５又は６記載のバイトホルダー。
【請求項８】
第１回転盤は、円周方向に沿って等角度おきに調整片が形成され、
第１回転盤と第２回転盤は、円周方向に沿って等角度おきにホルダー側位相合わせ穴が貫通して形成されていることを特徴とする請求項１、２、３、４、５、６又は７記載のバイトホルダー。
【請求項９】
台座と、バイトが固定された請求項８記載のバイトホルダーを置く作業テーブルと、特定位置のバイトの刃部を見るための顕微鏡本体と、顕微鏡本体から見える視野を調整する視野調整機構を備え、
台座には作業テーブルが取り付けられると共に、視野調整機構を介して顕微鏡本体が取り付けられており、
作業テーブルは、テーブル本体と、テーブル本体から突出する中心軸とを備え、テーブル本体にはテーブル側位相合わせ穴が形成されており、
中心軸に対して第１回転盤と第２回転盤に形成された軸穴が挿入された状態で、バイトホルダーが中心軸を中心にして回転可能に支持されると共に、
テーブル側位相合わせ穴とホルダー側位相合わせ穴に挿入される位置決めピンを備え、
位置決めピンが挿入された状態では、特定位置のバイトの刃部が顕微鏡本体から視認可能に位置決めされていることを特徴とする顕微鏡装置。
【請求項１０】
顕微鏡本体の視線方向は、バイトホルダーを回転させた際にバイトの刃部が描く円形軌跡における特定位置のバイトの刃部を接線方向から見る方向に一致しており、
視野調整機構は、顕微鏡本体の視線方向であるＸ軸方向に顕微鏡本体を移動可能な焦点調整機構を備えていることを特徴とする請求項９記載の顕微鏡装置。
【請求項１１】
視野調整機構は、バイトホルダーの厚み方向であるＺ軸方向に顕微鏡本体を移動可能なＺ軸方向調整機構を備えていることを特徴とする請求項１０記載の顕微鏡装置。
【発明の詳細な説明】
【技術分野】
【０００１】
本発明は、切削工具としてのバイトを複数固定するためのバイトホルダー、及びバイトホルダーに固定するバイトの取付位置をバイトホルダーの厚み方向に調整する際に用いる顕微鏡装置に関する。
【背景技術】
【０００２】
近年、液晶ディスプレーにはバックライトの光源にＬＥＤが用いられており、多数のＬＥＤを導光板の端面に配置して導光板全体が均一に光るようにしてある。また、ＬＥＤの個数を減らしながら導光板全体が均一に光るようにするために、導光板の端面に多数のＶ溝を形成して、端面をギザギザにし、光の拡散をし易くすることが行われている。このため図１３に示すように導光板となる矩形の樹脂板を多数枚積層してワークＷを構成し、このワークＷの端面四辺を鏡面切削加工した後に、端面の対向する二辺に沿って所定ピッチおきにＶ溝を切削加工することが行われている。
【０００３】
ところで、１回の切削工程でＶ溝が１個しか形成できなければ、ワーク全体にＶ溝を形成するための加工に要する総加工時間は、Ｖ溝の個数に比例することになる。そこで、総加工時間の短縮を図るべく、１回の切削工程で複数のＶ溝を形成できるようにするバイトホルダーの開発に着手した。
【０００４】
初めに開発されたバイトホルダーは、Ｖ溝加工用のバイトを複数固定できる回転盤であった。同一種類のバイトを複数取り付けることを前提として、バイトホルダーは、各バイトのシャンクを位置決めする設置溝部が回転盤の円周方向に間隔をあけて形成されていた。各設置溝は放射状に形成されており、設置溝部にバイトを固定すると、バイトの刃部が回転盤の半径方向外側に突出し、この刃部によってＶ溝を切削するようになっていた。また、各設置溝部の深さを異ならせ、それによって、各バイトの刃部の位置を回転盤の厚み方向に所定ピッチおきにずらすように設計してあった。
【発明の概要】
【発明が解決しようとする課題】
【０００５】
しかながら、回転盤の設置溝部の深さやバイトは、精度良く加工されていたとしても、加工誤差がつきものである。従って、設置溝部に固定されたバイトの刃部は、回転盤の厚み方向の位置（設置溝部の深さ方向の位置）について、これら２つの加工誤差を含むものとなる。このような２つの加工誤差を含んだ状態でワークに対してＶ溝を加工すれば、ワークに形成されるＶ溝のピッチも加工誤差を含むものとなる。
【０００６】
従って、加工誤差を解消して、ワークに対してＶ溝を所望のピッチで高精度に形成するために、従来は、必要に応じてバイトのシャンクと設置溝部の間に薄いスペーサを挟んで、各バイトの刃部の位置を回転盤の厚み方向に微調整していた。
【０００７】
しかしながら、多種類の厚みのスペーサを準備することは煩雑である。しかも、スペーサの取付けの際には、一旦、バイトを取り外した上で、再度取り付ける必要がある。
【０００８】
本発明は、上記実情を考慮して創作されたもので、バイトの刃部の位置を回転盤の厚み方向に調整することが容易なバイトホルダーを提供することを目的とする。
【０００９】
また、この調整作業は、バイトホルダーに取り付けたバイトの個数分行われることから、その作業時間の短縮を図る必要がある。従って、バイトをこのバイトホルダーの厚み方向に調整する際にバイトの刃部を確認しやすい顕微鏡装置を提供することも目的の一つである。
【課題を解決するための手段】
【００１０】
本発明のバイトホルダーは、回転軸に連結するための軸穴を回転盤の中心部に有し、回転盤の外周部には、その円周方向沿って間隔をあけて複数のバイトを固定するための固定部を設け、各バイトの刃部の位置を回転盤の厚み方向に調整可能とするバイトホルダーを前提とする。
【００１１】
そして、本発明は、回転盤は、重なり合う第１回転盤と第２回転盤を備え、第１回転盤は、固定部を中心にして円周方向の両側に離れた位置に、外周から中央部に向かうスリットを備え、固定部に対して両側に設けられ一対のスリットによって円周方向に隔絶された調整片を形成し、調整片を第２回転盤から離隔する方向に変形可能に設ける離隔ネジ止め部を第１回転盤と第２回転盤の少なくとも一方に有することを特徴とする。
【００１２】
また、上記した発明は、調整片を第２回転盤から離隔することを可能とするものであるが、その逆も可能である。すなわち、回転盤は、重なり合う第１回転盤と第２回転盤を備え、第１回転盤は、固定部を中心にして円周方向の両側に離れた位置に、外周から中央部に向かうスリットを備え、固定部に対して両側に設けられ一対のスリットによって円周方向に隔絶された調整片を形成し、第１回転盤又は第２回転盤の重ね合わせ面に、調整片を第２回転盤に接近する方向に変形可能とする凹部を備え、調整片を第２回転盤に接近する方向に変形可能に設ける接近ネジ止め部を第１回転盤と第２回転盤の少なくとも一方に有することである。
【００１３】
また、調整片を第２回転盤に対して離隔又は接近可能とすることも可能である。すなわち、調整片を第２回転盤から離隔する方向に変形可能に設ける離隔ネジ止め部を第１回転盤と第２回転盤の少なくとも一方に有すると共に、第１回転盤と第２回転盤の重ね合わせ面の少なくとも一方に、調整片を第２回転盤に接近する方向に変形可能とする凹部を備え、調整片を第２回転盤に接近する方向に変形可能に設ける接近ネジ止め部を第１回転盤と第２回転盤の少なくとも一方に有することである。
【００１４】
調整片は内周部を支点にして変形可能となり、この変形を容易にするには次のようにすることが望ましい。すなわち、第１回転盤は、調整片の両側の一対のスリットを連通する変形促進溝部が調整片の内周部に形成されていることである。
【００１５】
調整片の変形を容易にするには、支点となる部分よりも内周側を、より変形不能であるようにすることであり、それには次のようにすることが望ましい。すなわち、第１回転盤と第２回転盤は、各調整片よりも半径方向内周側においてネジ止めされていることである。
【００１６】
また、調整片にはバイトを固定するが、このバイトは同一種類のものに限らない。従って、例えば、バイトとして、刃部の位置（第１回転盤の厚み方向に対する位置）が異なる種類のものを用いた場合に、各調整片の固定部の厚みを均一にしてあれば、バイトを固定するだけで、各バイトの刃部の位置が厚み方向に異なるようになる。しかし、バイトとして同一種類のものを用いた場合に、各調整片の固定部の厚みを均一にしてあれば、バイトを固定しても、各バイトの刃部の位置が厚み方向に殆ど揃うようになる。この場合には、調整片で変形させる量を増やさない限り、各バイトの刃部の位置が厚み方向に異なるようにはならない。従って、このような場合であっても変形させる量を少なくするには、次のようにすることが望ましい。すなわち、各調整片には固定部として設置溝部が形成されており、各調整片の設置溝部の溝深さが異なることである。
【００１７】
接近ネジ止め部と離隔ネジ止め部とは互いの軸線が異なる位置に設けても良いが、ネジ止めの作業性を考慮すれば次のようにすることが望ましい。すなわち、接近ネジ止め部と離隔ネジ止め部とは互いの軸線が一致する位置に設けられ、離隔ネジ止め部は、離隔雄ネジ部材と離隔雌ネジ穴とから構成され、離隔雄ネジ部材は、円筒状であって、その外周面には雄ネジが形成され、その内周面の頭部側には工具用の嵌合穴が形成されると共に、内周面の先部側には接近雌ネジ穴が形成されており、離隔雌ネジ穴は、第２回転盤に形成されており、接近ネジ止め部は、接近雄ネジ部材と、接近雌ネジ穴と、接近雄ネジ部材の軸部を通す接近貫通穴とから構成され、接近雄ネジ部材は、離隔雄ネジ部材の内周面の接近雌ネジ穴に捩じ込むものであって、接近貫通穴は、第１回転盤に形成されていることである。
【００１８】
更に、調整片は、第１回転盤に対して円周方向に間隔をあけて形成されていれば、その間隔は問わない。しかし、調整片に固定するバイトの刃部の位置を調整しやすくするには、次のようにすることが望ましい。すなわち、第１回転盤は、円周方向に沿って等角度おきに調整片が形成され、第１回転盤と第２回転盤は、円周方向に沿って等角度おきにホルダー側位相合わせ穴が貫通して形成されていることである。
【００１９】
また、上記したバイトホルダーを使用する際に好適なものとして、以下の顕微鏡装置がある。本発明の顕微鏡装置は、台座と、バイトが固定された請求項８記載のバイトホルダーを置く作業テーブルと、特定位置のバイトの刃部を見るための顕微鏡本体と、顕微鏡本体から見える視野を調整する視野調整機構を備え、台座には作業テーブルが取り付けられると共に、視野調整機構を介して顕微鏡本体が取り付けられており、作業テーブルは、テーブル本体と、テーブル本体から突出する中心軸とを備え、テーブル本体にはテーブル側位相合わせ穴が形成されており、中心軸に対して第１回転盤と第２回転盤に形成された軸穴が挿入された状態で、バイトホルダーが中心軸を中心にして回転可能に支持されると共に、テーブル側位相合わせ穴とホルダー側位相合わせ穴に挿入される位置決めピンを備え、位置決めピンが挿入された状態では、特定位置のバイトの刃部が顕微鏡本体から視認可能に位置決めされていることを特徴とする。
【００２０】
また、調整片を変形させてバイトの刃部の位置を調整しやすくするには、刃部がはっきり見える方向から見るように、次のようにすることが望ましい。すなわち、顕微鏡本体の視線方向は、バイトホルダーを回転させた際にバイトの刃部が描く円形軌跡における特定位置のバイトの刃部を接線方向から見る方向に一致しており、視野調整機構は、顕微鏡本体の視線方向であるＸ軸方向に顕微鏡本体を移動可能な焦点調整機構を備えていることである。
【００２１】
更に、複数のバイトの位置がバイトホルダーの厚み方向に対して大きく異なる場合には、視野が移動可能となるように、次のようにすることが望ましい。すなわち、視野調整機構は、バイトホルダーの厚み方向であるＺ軸方向に顕微鏡本体を移動可能なＺ軸方向調整機構を備えていることである。
【発明の効果】
【００２２】
請求項１の発明によれば、調整片を離隔ネジ止め部によって第２回転盤から離隔する方向に変形可能としてあるので、バイトの刃部の位置を第２回転盤から離隔する方向に調整することが容易に行える。
【００２３】
請求項２の発明によれば、調整片を凹部と接近ネジ止め部によって第２回転盤に接近する方向に変形可能としてあるので、バイトの刃部の位置を第２回転盤に接近する方向に調整することが容易に行える。
【００２４】
請求項３の発明によれば、バイトの刃部の位置を第２回転盤に対して離隔する方向及び接近する方向に調整することが容易に行える。
【００２５】
請求項４の発明によれば、変形促進溝部が調整片の内周部に形成されていることから、調整片を変形させやすくなる。
【００２６】
請求項５の発明によれば、第１回転盤と第２回転盤が各調整片よりも半径方向内周側においてネジ止めされているので、調整片を変形させやすくなる。
【００２７】
請求項６の発明によれば、各調整片に形成された設置溝部の深さが異なっているので、同一種類のバイトを固定した場合に調整片を変形させる量が少なくても、各バイトの刃部の位置を異ならせることができ、調整作業が容易となる。
【００２８】
請求項７の発明によれば、接近ネジ止め部と離隔ネジ止め部とは互いの軸線が一致する位置に設けられているので、作業者は接近雄ネジ部材と離隔雄ネジ部材の位置が分かりやすく、作業性が良い。
【００２９】
請求項８の発明によれば、調整片とホルダー側位相合わせとが同じ等角度おきに形成されているので、調整片に固定するバイトの刃部の位置を調整しやすくなる。
【００３０】
請求項９の発明によれば、中心軸を中心にしてバイトホルダーを回転させて、テーブル側位相合わせ穴とバイト側位相合わせ穴に位置決めピンを差し込めば、特定位置のバイトの刃部が顕微鏡本体から視認できるので、調整作業が行いやすい。
【００３１】
請求項１０の発明によれば、バイトの刃部を接線方向から見る方向に顕微鏡本体の視線方向を合わせてあるので、刃部が見えやすく、調整作業が行いやすい。
【００３２】
請求項１１の発明によれば、視野をＺ軸方向に調整できるので、調整作業が行いやすい。
【図面の簡単な説明】
【００３３】
【図１】本発明のバイトホルダーを示す一部切欠正面図である。
【図２】図１のＡ−Ａ線断面図である。
【図３】図１のＢ−Ｂ線断面図である。
【図４】図１のＣ−Ｄ−Ｅ−Ｆ断面図である。
【図５】バイトの固定状態を示す断面図である。
【図６】（イ）（ロ）図は、各相の設置溝部の深さ及びバイトの刃部の位置が段階的に異なることを示す説明図である。
【図７】（イ）（ロ）（ハ）図は、第１回転盤を示す正面図、側面図、Ａ−Ｂ−Ｃ−Ｄ線断面図である。
【図８】（イ）（ロ）（ハ）図は、第２回転盤を示す正面図、側面図、Ａ−Ｂ−Ｃ−Ｄ線断面図である。
【図９】顕微鏡装置を示す平面図である。
【図１０】顕微鏡装置とバイトホルダーの取付状態を説明する右側面図である。
【図１１】顕微鏡装置にバイトホルダーを位置決めした状態を示す正面図である。
【図１２】顕微鏡装置にバイトホルダーを位置決めした状態を示す平面図である。
【図１３】ワークの切削状態を示す斜視図である。
【発明を実施するための形態】
【００３４】
本発明のバイトホルダー１００は図１に示すように、回転盤であって、重なり合う第１回転盤１と第２回転盤２を主体として構成される。なお、図１では、第１回転盤１の一部を切欠いて、その下の第２回転盤２を見えるようにしてある。図示の例では、第１回転盤１と第２回転盤２とは、金属製からなる同一直径の厚肉の円盤であって、互いの中心部には図示しない切削装置の回転軸に連結するための軸穴１ａ、２ａが厚み方向に貫通して形成されている。これら軸穴１ａ、２ａは、円柱状の回転軸に差し込んだ上で、回転軸のキー溝にキーを差し込んで連結するように、丸穴とキー穴とが連通する形状となっている。
【００３５】
また、第１回転盤１と第２回転盤２には、半径方向中間部において、両者をネジ止めによって連結してある。図示の例では、ネジ止め箇所は、円周方向に等角度おきに８つ設けられている。図４、図５に示すように、第１回転盤１には貫通穴１ｂが形成され、第２回転盤２には雌ネジ穴２ｂが形成されている。そして、雄ネジ部材１ｃを、貫通穴１ｂを経て雌ネジ穴２ｂに捩じ込むことにより、第１回転盤１と第２回転盤２とが重なり合った状態で一体化される。また、これら円周方向に沿って等角度おきに設けられたネジ止め箇所の中間角度位置毎に、ホルダー側位相合わせ穴１ｄ、２ｄが厚み方向に貫通して形成されている。
【００３６】
第１回転盤１は図１〜図７に示すように、その表面側の外周部に複数のバイト９を固定するために、固定部としての設置溝部１１が円周方向に等間隔をあけて形成されている。図示の例では、設置溝部１１は、円周方向に４５度おきに形成されており、全部で８個設けられている。８個の設置溝部１１を区別するために、便宜上、１相の設置溝部１１、２相の設置溝部１１といった具合に以後、説明することがある。また、各設置溝部１１は、バイト９のシャンク９ａの形状に対応させて形成してある。図示の例ではシャンク９ａは、断面矩形の棒状形状であるので、各設置溝部１１は、第１回転盤１の中心部に対して放射状に延長する形状をしている。設置溝部１１にシャンク９ａを載せると、バイト９の刃部９ｂが第１回転盤１の半径方向外側に突出する状態となり、この状態でネジ止めする。そのために各設置溝部１１には、その放射方向の中間部に雌ネジ穴１１ａが形成されており、この雌ネジ穴１１ａに対応する貫通穴９ｃがシャンク９ａには形成されている。そして、雄ネジ部材１１ｂを、シャンク９ａの貫通穴９ｃを経て雌ネジ穴１１ａに捩じ込むことにより、バイト９を設置溝部１１に固定する。但し、シャンク９ａの貫通穴９ｃよりも雌ネジ穴１１ａの直径を小さく形成してあり、双方の穴の直径の差分だけ刃部９ｂの突出位置を放射線方向に僅かに調整可能としてある。
【００３７】
また、第１回転盤１には一対のスリット１２が、設置溝部１１を中心にして円周方向両側に対称的に離れた位置に形成されている。図示の例では、円周方向に２２．５度おきにスリット１２が形成されている。各スリット１２は、第１回転盤１の外周から中央部に向かって半径方向中間部（但し、第１回転盤１と第２回転盤２とのネジ止め箇所よりも半径方向外側）に達するまで延長すると共に、厚み方向に貫通している。そして、各設置溝部１１に対して両側に設けられた一対のスリット１２によって円周方向に隔絶された調整片１３が、第１回転盤１には８つ形成される。各調整片１３は、円周方向に隔絶されていることから、その内周部を支点にして第２回転盤２から離隔する方向に変形可能となる。
【００３８】
一方、第２回転盤２は、図１〜図５、又は図８に示すように、その重ね合わせ面には、調整片１３に対応する位置に凹部２１が段差状に窪んで形成されている。凹部２１は、調整片１３よりも円周方向に幅広に形成されており、それによって調整片１３がその内周部を支点にして第２回転盤２に接近する方向に変形可能となる。
【００３９】
このような調整片１３の変形を容易にするために、第１回転盤１の重ね合わせ面側であって半径方向中間部には、各スリット１２の奥部に連通する変形促進溝部１４が円形に形成されている。変形促進溝部１４の深さに応じて調整片１３の内周部が薄肉となることから、この薄肉部を支点とした調整片１３の変形が容易となる。なお、第１回転盤１と第２回転盤２とを連結する前述したネジ止め箇所は、変形促進溝部１４よりも半径方向内側に設けられており、これによって調整片１３の変形が半径方向内側に伝わらなくなり、調整片１３が変形促進溝部１４を支点となって変形しやすくなる。
【００４０】
また、第２回転盤２に対する各調整片１３の厚み方向の位置を決定するために、離隔ネジ止め部３と接近ネジ止め部４が調整片１３の外周部に設けられている。より詳しく言えば、これら離隔ネジ止め部３及び接近ネジ止め部４は、設置溝部１１を中心にして円周方向両側に対称的に設けられている。図示の例では、離隔ネジ止め部３及び接近ネジ止め部４は、互いの軸線が一致する状態に設けられている。
【００４１】
離隔ネジ止め部３は、離隔雌ネジ穴３１と離隔雄ネジ部材３２とから構成される。離隔雌ネジ穴３１は、第２回転盤２の厚み方向に貫通して形成されている。また、離隔雄ネジ部材３２は、円筒状であって、その円筒部の外周面に雄ネジが形成され、円筒部の内周面の頭部側には六角ボルト等の工具を嵌め合わせる嵌合穴４１ａが形成され、内周面の先部側には接近雌ネジ穴４１が形成されている。
【００４２】
離隔ネジ止め部３で調整片１３を第２回転盤２から離隔する方向に変形させる場合は、図４に示すように、離隔雄ネジ部材３２を締め付けて、調整片１３を押し上げるようにする。このとき、離隔雄ネジ部材３２の先端は、第２回転盤２の重ね合わせ面よりも上側に位置することになる。なお、図面では、理解の容易のため調整片１３の変形量を実際よりも大きくしてある。
【００４３】
接近ネジ止め部４は、接近雌ネジ穴４１と接近雄ネジ部材４２と接近貫通穴４３とから構成される。接近雌ネジ穴４１は、前記したように離隔雄ネジ部材３２の内周面に形成されている。また、接近貫通穴４３は、第１回転盤１に座ぐり付きに形成されている。接近雄ネジ部材４２は、接近貫通穴４３を経て接近雌ネジ穴４１に捩じ込むものである。
【００４４】
接近ネジ止め部４で調整片１３を第２回転盤２に接近する方向に変形させる場合は、主に図５に示すように、離隔雄ネジ部材３２の先端を、第２回転盤２の重ね合わせ面よりも下側に位置させ、接近雄ネジ部材４２を締めて離隔雄ネジ部材３２の接近雌ネジ穴４１に捩じ込み、調整片１３を第２回転盤２の凹部２１に沈み込ませる。このようにすると、接近雄ネジ部材４２の頭部と離隔雄ネジ部材３２の先端との間に調整片１３が挟み込まれ、調整片１３は、第２回転盤２に対して位置決めされた状態となる。
【００４５】
離隔ネジ止め部３と接近ネジ止め部４を用いると、調整片１３に固定されたバイト９の刃部９ｂについて、回転盤の厚み方向の位置を微調整することができる。因みに、バイト９が固定されたバイトホルダー１００を、軸穴１ａ、２ａを中心として回転させた場合に、バイト９の刃部９ｂは円形の軌跡を描く。この軌跡に対する接線方向から見たバイト９の刃部９ｂは、断面くの字状（Ｖ字状）となっている。従って、このくの字の頂点の位置が調整片１３の変形量に応じて回転盤の厚み方向に移動することになる。
【００４６】
ところで、図６（イ）に示すように、各相の設置溝部１１は、１相〜８相に向かって、設計上、深さが一定のステップで段階的に深くなるように加工されており、各設置溝部１１に同一種類のバイト９が固定されている。しかし、実際に加工された各々８つの設置溝部１１及びバイト９は、設計とは異なって加工誤差を含む状態となっている。従って、各相の調整片１３に対して厚み方向の位置を、離隔ネジ止め部３と接近ネジ止め部４を用いながら調整することによって、初めて図６（ロ）に示すように設計通りに、１相から８相に向かって、刃部９ｂの頂点が一定のステップで段階的に低くなる。
【００４７】
なお、円周方向に隣り合う二枚の調整片１３の間に、バイト９の付いていない略同形状の中間片１５が介在しているが、中間片１５には凹部２１、離隔ネジ止め部３、或いは接近ネジ止め部４を設けていないため、厚み方向に変形することは無い。但し、図面では示していないが、中間片１５と第２回転盤２を単にネジ止めしておくことが望ましい。
【００４８】
図９〜図１２には、上記したバイトホルダー１００に固定するバイト９の刃部９ｂの取付位置をバイトホルダー１００の厚み方向に調整する際に用いる顕微鏡装置２００が示されている。
【００４９】
顕微鏡装置２００は、台座５に対して、作業テーブル６と、顕微鏡本体７と、顕微鏡本体７から見える視野を調整する視野調整機構８を組み付けて構成されている。以下、各構成部品について詳述する。
【００５０】
台座５は、平板であって、この上に作業テーブル６と視野調整機構８が取り付けられている。
【００５１】
作業テーブル６は、台座５の上に載せるブロック状の土台６１と、土台６１の上に載せるテーブル本体６２を備えている。これら土台６１とテーブル本体６２は、台座５に対してネジ止めで固定されている。
【００５２】
テーブル本体６２は、バイトホルダー１００よりも直径が短い円盤であって、その中心部には中心軸６２ａが上方に向かって突出している。中心軸６２ａは、バイトホルダー１００の軸穴１ａ、２ａの丸穴に嵌り合う円柱形状である。また、テーブル本体６２には、ホルダー側位相合わせ穴１ｄ、２ｄと同様に、その円周方向に沿って同じ等角度おきにテーブル側位相合わせ穴６２ｂが貫通して形成されている。
【００５３】
顕微鏡本体７は、鏡筒部７１がＬ字状に屈曲しており、鏡筒部７１の下部（対物レンズ側の部分）が視野調整機構８に対して取り付けられている。また、顕微鏡本体７を覗くと、その視線方向が、バイトホルダー１００を回転させた際にバイト９の刃部９ｂが描く円形軌跡における特定位置のバイト９の刃部９ｂを接線方向（後述のＸ軸方向）から見る方向に向けて配置されている。図示の例では、鏡筒部７１の接眼レンズ側が鉛直方向（後述のＺ軸方向）を向くように取付けられている。
【００５４】
視野調整機構８は、顕微鏡本体７の位置を調整する調整機構本体部８ａと、調整機構本体部８ａを台座５から離して支持するアーム８ｊと、調整機構本体部８ａに顕微鏡本体７を回転可能に且つ所望の角度で固定可能な取付部８ｋとから構成されている。
【００５５】
調整機構本体部８ａは、一般的な直交する二軸方向にステージ８５を移動可能な位置合わせ機構である。そして、二軸方向のうちＸ軸方向が顕微鏡本体７を覗いた際に見える視線方向に合わせてあり、二軸方向のうちＺ軸方向がバイトホルダー１００の厚み方向（図示の例では高さ方向）に合わせてある。従って、調整機構本体部８ａは、Ｘ軸方向調整機構（焦点調整機構）８ｘと、Ｚ軸方向調整機構８ｚとから構成されている。
【００５６】
図示の例では、Ｚ軸方向調整機構８ｚは、アーム８ｊに固定される板状のベース８１と、ベース８１に対してＺ軸方向に移動可能に案内されるＺ軸用スライダ８２と、Ｚ軸用スライダ８２を所望量移動させる手動のＺ軸用操作機構８３が設けられている。Ｚ軸用操作機構８３は、摘み８３ａの回転運動をプッシャ８３ｂの直線運動に変換する一般的なものである。より詳しく言えば図示の例では、Ｚ軸用スライダ８２に対してその上面にＬ字状のプレート８３ｃの一片を固定し、他片をベース８１の上面から離れた位置に配置してあり、摘み８３ａを回すと、その回す方向に応じてプッシャ８３ｂがプレート８３ｃに対してＸ軸方向に移動し、その結果、移動量分だけＸ軸用スライダ８４を移動させるものである。摘み８３ａには移動量を把握するための目盛りが振られている。
【００５７】
また、Ｘ軸方向調整機構８ｘは、前述のＺ軸方向調整機構８ｚと同様の機構であって、Ｚ軸用スライダ８２と、Ｚ軸用スライダ８２に対してＸ軸方向に移動可能に案内されるＸ軸用スライダ８４と、Ｘ軸用スライダ８４に固定されるステージ８５と、手動のＸ軸用操作機構８６が設けられている。
【００５８】
ステージ８５には取付部８ｋを介して顕微鏡本体７が固定される。取付部８ｋは円形状のリングであって、このリングがステージ８５に固定されている。また、このリングに回転可能に嵌まり込むリング溝（図示省略）が鏡筒部７１の対物レンズ側の外周面に形成されている。そして、取付部８ｋの外側から鏡筒部７１を取付部８ｋにネジ止めすることによって鏡筒部７１の角度を固定する。
【００５９】
上記した顕微鏡装置２００を以下の（１）〜（８）の手順で使用して、１相から８相のバイト９について、刃部９ｂの高さを設計通りの一定のステップで段階的に低くなるように正確に設定する。
【００６０】
（１）作業テーブル６のテーブル本体６２の上にバイトホルダー１００を載せる。より詳しく言えば、テーブル本体６２の中心軸６２ａにバイトホルダー１００の軸穴１ａ、２ａを差込む。なお、予めバイト９をバイトホルダー１００の各設置溝部１１に載せて、仮止めしておく。また、離隔ネジ止め部３の離隔雄ネジ部材３２と接近ネジ止め部４の接近雄ネジ部材４２とは、予め締め付けてあって、この締め付け具合は、調整片１３が変形していない状態、つまり、第１回転盤１と第２回転盤２を単に重ね合わせた場合での状態となるようにしておく。
【００６１】
（２）中心軸６２ａを中心にしてバイトホルダー１００を所定角度回し、バイトホルダー１００のホルダー側位相合わせ穴１ｄ、２ｄを、その下の作業テーブル６のテーブル側位相合わせ穴６２ｂに一致させ、これら一致させた位相合わせ穴の一箇所に位置決めピンＰを差込み、バイトホルダー１００を回転不能に保持する。
【００６２】
（３）このようにすると、全部で８つのバイト９のうち１つ（特定）のバイト９の刃部９ｂが顕微鏡本体７の視線方向に配置されている。この説明では、１相のバイト９の刃部９ｂが視線方向に配置されているものとする。従って、顕微鏡本体７を覗くと、１相のバイト９の刃部９ｂが視野に入っている。そこで、刃部９ｂがぼやけて見える場合には、Ｘ軸用操作機構８６の摘みを操作して刃部９ｂの先端部である「く」の字状の部分が側面から明確に見えるように、ピントを合わせる。
【００６３】
（４）次に１相のバイト９について、刃部９ｂの位置を調整する。顕微鏡本体７を覗くと、図１２の例では、円形の視野には、Ｙ軸とＺ軸が水平、垂直方向に直交して「十」の字状に見えるように配置されている。また、Ｙ軸とＺ軸には目盛りが振られている。従って、このＹ軸が刃部９ｂの突出量（第１回転盤１からの突出量）を合わせる目安となり、Ｚ軸が刃部９ｂの高さを合わせる目安となる。そして、基準となる位置、図示の例では、Ｙ軸の所定目盛り（Ｙ軸とＺ軸が交差する位置から右側に３つ目の目盛り）の位置に「く」の字の頂点を合わせる。具体的な操作としては、Ｚ軸用操作機構８３の摘み８３ａを操作して「く」の字の頂点をＹ軸上に配置されるようにし、その後、バイト９を仮止めしていた雄ネジ部材１１ｂを緩め、バイト９を設置溝部１１内でＹ軸方向に移動させて刃部９ｂの頂点をＹ軸の所定目盛りの位置に合わせてから、雄ネジ部材１１ｂを強く締め付け固定する。これで１相のバイト９の位置の調整が終了する。
【００６４】
（５）続いて２相のバイト９について、刃部９ｂの位置を調整する。まず、Ｚ軸用操作機構８３の摘み８３ａをその目盛りを見ながら操作して、設計通りの一定のステップだけ顕微鏡本体７を低くする。これによって、顕微鏡本体７を覗いた場合に見える視野のＹ軸が、Ｚ軸用操作機構８３を操作する前に比べて、設計通りの一定のステップだけ下がる。
【００６５】
（６）そして、顕微鏡本体７の視野に入るバイト９が２相のものになるように、位置決めピンＰを抜いて、バイトホルダー１００を回転させ、再度、位相合わせ穴１ｄ、２ｄ、６２ｂに位置決めピンＰを差込む。バイト９は等角度おきに固定され、位相合わせ穴も同じ等角度おきに形成される構造となっているので、位置決めピンＰを差し込めば、既にピントは合っており、刃部９ｂが明確に見えるようになっている。
【００６６】
（７）Ｙ軸から刃部９ｂの頂点が下方に外れている場合には、バイト９の両側に位置する２つの接近雄ネジ部材４２を緩めてから２つの離隔雄ネジ部材３２を深く捩じ込み、調整片１３を押し上げて、Ｙ軸上に頂点が配置されるようにし、２つの接近雄ネジ部材４２を再度締め付け直す。一方、Ｙ軸から刃部９ｂの頂点が上方に外れている場合には、２つの離隔雄ネジ部材３２を緩めてから２つの接近雄ネジ部材４２を深く捩じ込んで調整片１３を押し下げて、Ｙ軸に頂点が配置されるようにし、２つの離隔雄ネジ部材３２を再度締め付け直す。また、Ｙ軸の所定目盛りの位置から頂点が外れている場合には、バイト９を仮止めしていた雄ネジ部材１１ｂを緩め、バイト９を設置溝部１１内で移動させて刃部９ｂの頂点をＹ軸の所定目盛りの位置に合わせてから、雄ネジ部材１１ｂを強く締め付け固定する。
【００６７】
（８）３相〜８相のバイト９について、上記（５）（６）の要領で手続きを繰り返しながら、刃部９ｂの位置を調整し、１相から８相のバイト９について、刃部９ｂの高さを設計通りの一定のステップで段階的に低くなるように設定する。以上の手続きによって、バイト９とバイトホルダー１００が一体化した切削回転盤が完成する。
【００６８】
このようにして完成した切削回転盤を切削装置の回転軸に固定して、ワークＷを切削加工すると、１回の切削加工で一定のピッチでＶ溝が８個形成されることになる。
【００６９】
本発明は上記実施形態に限定されるものではない。例えば、固定部は、設置溝部１１でなくても良く、例えばバイト９のシャンク９ａを２箇所以上で固定するように複数の雌ネジ穴を第１回転盤１に形成すれば良い。また、固定部として設置溝部１１の深さは、１相から８相まで段階的に異なるものとしてあったが、これは、バイト９に同一種類のものを用いた為である。従って、バイト９について多種類のもの（シャンク９ａの厚みを段階的に異ならせるようにしたもの）を用いる場合には、設置溝部１１の深さを均一にしておいても良い。
【００７０】
また、調整片１３を形成するためのスリット１２は、第１回転盤１の中心から放射状に延長する形状となっており、このため調整片１３は扇形、つまり調整片１３の幅は、内周側が狭く外周側が広くなっているが、これに限らず、例えば、各相の調整片１３を構成する一対のスリット１２が平行となるようにして、調整片１３は内周側も外周側も同一幅となるようにしても良い。
【００７１】
更に離隔ネジ止め部３と、接近ネジ止め部４は、互いの軸線が異なる箇所に設けても良い。この場合、接近雌ネジ穴４１は、第２回転盤２に形成される。
【００７２】
また、離隔ネジ止め部３は、離隔雌ネジ穴３１を調整片１３に形成し、離隔雄ネジ部材３２を調整片１３の表面から締め付けて、第２回転盤２を押し込むようにするものであっても良い。
【００７３】
更に、顕微鏡装置２００は、バイトホルダー１００を水平に支持するタイプに限らず、例えば鉛直方向に支持するタイプであっても良い。なお、中間片１５を調整片１３として使用できるようにしても良い。
【符号の説明】
【００７４】
１００バイトホルダー
１第１回転盤
１ａ軸穴
１ｂ貫通穴
１ｃ雄ネジ部材
１ｄホルダー側位相合わせ穴
１１設置溝部（固定部）
１１ａ雌ネジ穴
１１ｂ雄ネジ部材
１２スリット
１３調整片
１４変形促進溝部
１５中間片
２第２回転盤
２ａ軸穴
２ｂ雌ネジ穴
２ｄホルダー側位相合わせ穴
２１凹部
３離隔ネジ止め部
３１離隔雌ネジ穴
３２離隔雄ネジ部材
４接近ネジ止め部
４１接近雌ネジ穴
４１ａ嵌合穴
４２接近雄ネジ部材
４３接近貫通穴
５台座
６作業テーブル
６１土台
６２テーブル本体
６２ａ中心軸
６２ｂテーブル側位相合わせ穴
７顕微鏡本体
７１鏡筒部
８視野調整機構
８ａ調整機構本体部
８ｊアーム
８ｋ取付部
８ｘ  Ｘ軸方向調整機構
８ｚ  Ｚ軸方向調整機構
８１ベース
８２  Ｚ軸用スライダ
８３  Ｚ軸用操作機構
８３ａ摘み
８３ｂプッシャ
８３ｃプレート
８４  Ｘ軸用スライダ
８５ステージ
８６  Ｘ軸用操作機構
Ｐ  位置決めピン
Ｗ  ワーク
９バイト
９ａシャンク
９ｂ刃部
９ｃ貫通穴
２００顕微鏡装置
【図１】
2013123768.tif 000003
【図２】
2013123768.tif 000004
【図３】
2013123768.tif 000005
【図４】
2013123768.tif 000006
【図５】
2013123768.tif 000007
【図６】
2013123768.tif 000008
【図７】
2013123768.tif 000009
【図８】
2013123768.tif 000010
【図９】
2013123768.tif 000011
【図１０】
2013123768.tif 000012
【図１１】
2013123768.tif 000013
【図１２】
2013123768.tif 000014
【図１３】
2013123768.tif 000015